(57)【要約】【課題】印刷物を構成する部品に色の割合を変更できないものが含まれていても、カラープリンタの出力物や他の印刷機等の印刷物の色合いを目標として、実際に印刷を行う印刷機の印刷物の色合いをＲＩＰのカラーマッチング処理により容易に合わせることができるようにする。【解決手段】レイアウト編集された各部品１１，１２，１３，１４，１５のデータからＲＩＰに入力するための版作成用データを作成する版作成用データ作成装置であって、カラーマッチング処理を行わない部品１１，１５をレイアウト編集画面上で指定することができるように構成され、指定された部品１１，１５のデータについてはカラーマッチング無効化処理を行う。【選択図】      図５
2004206655.tif 000002
【特許請求の範囲】
【請求項１】
印刷物を構成する各部品のレイアウト編集を実行すると共に、該レイアウト編集された各部品のデータから、カラーマッチング処理機能を有するＲＩＰに入力するための版作成用データを作成する版作成用データ作成装置であって、カラーマッチング処理を行わない部品をレイアウト編集画面上で指定することができるように構成され、レイアウト編集された各部品のデータから版作成用データを作成する際に、前記指定された部品のデータについては、ＲＩＰにおいてカラーマッチング処理がなされないようにするためのカラーマッチング無効化処理を行うことを特徴とする版作成用データ作成装置。
【請求項２】
前記指定された部品と指定されていない部品とがレイアウト編集画面上で識別できるように構成されている請求項１記載の版作成用データ作成装置。
【請求項３】
前記指定された部品が画面上で識別できるように該指定された部品には識別標識が付与され、該識別標識の表示の有無が任意に選択可能である請求項２記載の版作成用データ作成装置。
【請求項４】
カラーマッチング処理機能を有するＲＩＰに入力される版作成用データであって、レイアウト編集された部品のデータを複数含むと共にページ記述言語で記述されたものを加工するデータ加工装置であって、
無効化処理対象として設定された部品のデータが版作成用データに含まれているか否かを判別し、含まれている場合には、その部品のデータについて、ＲＩＰにおいてカラーマッチング処理がなされないようにするためのカラーマッチング無効化処理を行うことを特徴とする版作成用データ加工装置。
【発明の詳細な説明】
【０００１】
【発明の属する技術分野】
本発明は、版作成用データを作成する版作成用データ作成装置及び版作成用データを加工する版作成用データ加工装置に関するものである。
【０００２】
【従来の技術】
印刷版を作成するまでの工程は、図２に示すように、画像作成工程（ステップＳ１）、イラスト作成工程（ステップＳ３）、編集工程（ステップＳ５）、ＲＩＰ出力工程（ステップＳ７）、ＲＩＰ処理工程（ステップＳ９）、及び印刷版出力工程（ステップＳ１１）からなる。尚、画像作成工程とイラスト作成工程は時に省略される。
【０００３】
詳細には、画像形成ソフトやイラスト作成ソフトによって画像やイラストを形成した後、これらのデータを編集ソフト（例えば、商品名ＥＰ−Ｘ：リョービ（株）製）で読み込むと共に、その編集ソフトで文字入力や図形作成を行う。そして、編集ソフトにより、印刷物を構成する文字、図形、イラスト、画像等の各部品をレイアウト編集する。即ち、各部品の配置、倍率、回転等の編集を行う。
【０００４】
かかるレイアウト編集の終了後、同じく編集ソフトによって、レイアウト編集された各部品のデータからポストスクリプト（登録商標、以下省略）に代表されるページ記述言語で記述された版作成用データを作成する。そして、該版作成用データをＲＩＰに送り、ＲＩＰによってＲＩＰ処理（ページ記述言語で記述されたデータをビットマップデータにラスタライズする処理）し、該ＲＩＰ処理済みデータを用いて刷版作成装置で印刷版を作成する。
【０００５】
このようにして作成された印刷版を用いて印刷機で印刷物を印刷するが、その前にカラープリンタの出力物によって印刷発注者に印刷色の確認を行うことが一般的である。しかしながら、上述したＲＩＰ処理済みデータをカラープリンタで出力すると、印刷機による印刷物の色合いとカラープリンタによる出力物の色合いとは一般には一致しない。
【０００６】
そのため、印刷物の色合いと出力物の色合いとを合わせるために、印刷機のＩＣＣプロファイルとカラープリンタのＩＣＣプロファイルとに基づいてカラーマッチングが行われる。ＲＩＰにはこのカラーマッチング処理機能が設けられているため、上述の版作成用データをＲＩＰに入力し両ＩＣＣプロファイルに基づいてカラーマッチング処理することにより、カラーマッチング処理されたＲＩＰ処理済みデータが得られる。
【０００７】
【特許文献１】
特開２００２−５９５３６号公報
【特許文献２】
特開平７−２８７７４８号公報
【０００８】
【発明が解決しようとする課題】
一般には印刷物の色合いを目標にしてカラープリンタによる出力物の色合いが合わせられる。従って、版作成装置に入力するＲＩＰ処理済みデータについてはカラーマッチング処理を行わない一方、カラープリンタには、カラーマッチング処理されたＲＩＰ処理済みデータを入力する。
【０００９】
しかしながら、印刷発注者が自己のカラープリンタで出力した出力物を基準にして印刷の発注を行う場合がある。この場合、印刷発注者が保有するカラープリンタで出力された出力物の色合いに印刷物の色合いを合わせることが必要となる。そのため、印刷発注者が保有するカラープリンタのＩＣＣプロファイルと印刷機のＩＣＣプロファイルとに基づいてカラーマッチング処理を行い、そのカラーマッチング処理されたＲＩＰ処理済みデータを版作成装置に入力して印刷版を作成することが考えられる。
【００１０】
しかしながら、このように版作成用データをカラーマッチング処理する方法では、全ての部品のデータが一律にカラーマッチング処理されることになる。そのため、発注者から色の割合が指定されているロゴ等（但し、ロゴには限定されない。）や色の割合を変更することができないカラーバー等が部品に含まれている場合であっても、それらの部品のデータについても同様にカラーマッチング処理される結果、その色の割合が変わるという不具合が生じる。尚、かかる不具合は、他の印刷機や校正機で印刷された印刷物を目標にカラーマッチング処理を行って印刷する場合にも生じ得る。
【００１１】
何れにしても、従来の方法では、印刷物を構成する全ての部品について一律にカラーマッチング処理がなされるため、印刷物に色の割合が変更できない部品が含まれている場合には、カラープリンタの出力物等を目標として印刷機の印刷物をカラーマッチングすることは実質上困難であった。
【００１２】
本発明は上記従来の問題に鑑みてなされ、印刷物を構成する部品に色の割合を変更できないものが含まれていても、カラープリンタの出力物や他の印刷機等の印刷物の色合いを目標として、実際に印刷を行う印刷機の印刷物の色合いをＲＩＰのカラーマッチング処理により容易に合わせることができるようにすることを課題とする。
【００１３】
【課題を解決するための手段】
ＲＩＰには、例えば、ハーレークイーン社製のＲＩＰのように、データに所定のコードが付加されている場合にはそのデータをカラーマッチング処理することなくＲＩＰ処理するという機能を有しているものがある。本発明者は、このようなカラーマッチング処理の要否を自動判別する機能を有したＲＩＰを使用してその機能を活用すれば、上記課題を解決できるのではないかとの着想のもとに、上述したようなロゴ等の部品のデータをそのＲＩＰに適合した様式に書き換えることを試みたが、手作業での書き換えは極めて煩雑であって、またその確実性も低いことが判明した。
【００１４】
そこで、本発明者は部品のデータを前記機能を有するＲＩＰに適合した様式に自動的に書き換えるソフトを開発した。該ソフトを使用することにより、書き換え作業は極めて容易となり書き換えミスも防止することができる。しかしながら、版作成用データを作成するにあたり、使用者はレイアウト編集作業とは別にこの書き換え作業（カラーマッチング無効化処理）を行うことになる。そのため本発明者は、版作成用データの作成の作業性をより一層改善させるべく更に鋭意研究を重ね、本発明を完成するに至ったものである。
【００１５】
即ち、本発明は、印刷物を構成する各部品のレイアウト編集を実行すると共に、該レイアウト編集された各部品のデータから、カラーマッチング処理機能を有するＲＩＰに入力するための版作成用データを作成する版作成用データ作成装置であって、カラーマッチング処理を行わない部品をレイアウト編集画面上で指定することができるように構成され、レイアウト編集された各部品のデータから版作成用データを作成する際に、前記指定された部品のデータについては、ＲＩＰにおいてカラーマッチング処理がなされないようにするためのカラーマッチング無効化処理を行うことを特徴とする。
【００１６】
該構成の版作成用データ作成装置にあっては、レイアウト編集画面上でカラーマッチング処理を行わない部品、例えばロゴ等を指定することができるため、作業者はレイアウト編集前に予めカラーマッチング処理を行わない部品を決定してそれを他の部品と区別して管理、記憶しておく必要がなくなる。そして、レイアウト編集された各部品のデータからページ記述言語で記述された版作成用データを作成する際において、そのレイアウト編集画面上で指定した部品のデータのカラーマッチング無効化処理が自動的に行われるため、作業者はレイアウト編集とは別に部品のカラーマッチング無効化処理を行う必要がなくなる。
【００１７】
従って、この作成装置によって作成された版作成用データをＲＩＰに入力すれば、該データのうち、カラーマッチング無効化処理された部品についてのデータ部分はカラーマッチング処理されずにＲＩＰ処理され、それ以外の部品のデータ部分についてはカラーマッチング処理されてＲＩＰ処理されることとなる。
【００１８】
このように、ロゴやカラーバーのような色の割合を変更することのできない部品が含まれている場合であっても、カラープリンタの出力物等を目標として印刷機の印刷物を容易にカラーマッチングすることができる。
【００１９】
また、前記指定された部品と指定されていない部品とがレイアウト編集画面上で識別できるように構成されていることが好ましく、これにより、指定したか否かを作業者が容易に把握、確認できるため、指定のし忘れを防止することができる。
【００２０】
特に、前記指定された部品が画面上で識別できるように該指定された部品には識別標識が付与され、該識別標識の表示の有無が任意に選択可能であることが好ましい。識別標識を付与することで作業者は容易に目視確認することができる。しかしながら、作業者によっては、あるいは部品によっては、識別標識を付与していることが逆にレイアウト編集の妨げになる場合もある。そこで、この識別標識を表示するか否かを作業者が任意に選択できるようにした場合には、作業負担をより一層軽減することができる。
【００２１】
また、レイアウト編集後においてカラーマッチング無効化処理を行いたい場合もある。そのため、本発明に係る版作成用データ加工装置は、カラーマッチング処理機能を有するＲＩＰに入力される版作成用データであって、レイアウト編集された部品のデータを複数含むと共にページ記述言語で記述されたものを加工するデータ加工装置であって、無効化処理対象として設定された部品のデータが版作成用データに含まれているか否かを判別し、含まれている場合には、その部品のデータについて、ＲＩＰにおいてカラーマッチング処理がなされないようにするためのカラーマッチング無効化処理を行うことを特徴とする。
【００２２】
【発明の実施の形態】
以下、本発明の第一の実施形態について図面を参酌しつつ説明する。
図１には、本実施形態における版作成用データ作成装置のハードウェア構成の一例が示されている。該作成装置は、コンピュータとして構成され、即ち、ＣＰＵ１、メモリ２、ハードディスク３、ＣＲＴ４、マウス５、キーボード６を備えており、ＣＰＵ１は、ハードディスク３に記憶された各ソフトのプログラムに従って、バスライン７を介して各部を制御する。
【００２３】
ハードディスク３には、コンピュータを版作成用データ作成装置として機能させるためのコンピュータ読み取り可能なプログラムが記憶されている。即ち、コンピュータを版作成用データ作成装置として機能させるための編集ソフトが記憶されている。更に、ハードディスク３には、この編集ソフトの他、部品としての画像を作成するための画像作成ソフトや、部品としてのイラストを作成するためのイラスト作成ソフト等、各種ソフトが記憶されている。また、これらのソフトによって作成したデータや、図示しないＦＤＤや通信手段等から入力されたデータも、ハードディスク３に記憶される。尚、画像作成ソフトで作成された画像のデータやイラスト作成ソフトで作成されたイラストのデータは、ＥＰＳ形式等にて記憶される。
【００２４】
ＣＲＴ４には、例えば、編集ソフト起動中においてレイアウト編集画面が表示される。即ち、ＣＲＴ４は、レイアウト編集画面を表示する表示手段として機能する。また、編集ソフト起動中においてキーボード６やマウス５は各種の入力を行う入力手段として機能し、キーボード６やマウス５から入力された情報に従ってＣＰＵ１はＣＲＴ４にその結果を出力させる。
【００２５】
次に、編集ソフトを使用した編集工程及びＲＩＰ出力工程について、図３及び図４に示すフローチャートに従い説明する。
まず、編集工程において、識別標識の表示設定を行う（ステップＳ５１）。この識別標識は、図５に示すようなレイアウト編集画面上に表示されている部品１１，１２，１３，１４，１５（図１では合計５つの部品）の中から、後述のようにカラーマッチング無効化処理を行う部品を指定した際に、その指定された部品を指定されていない部品から区別することができるようにするためのものである。この識別標識を表示するか否かを作業者は任意に選択する（ステップＳ５２）。表示ＯＮを選択すれば後に指定する部品全てについて識別標識が表示され、表示ＯＦＦを選択すれば指定しても識別標識は一切表示されない（ステップＳ５３，Ｓ５４）。尚、部品ごとに表示ＯＮ，ＯＦＦが選択可能であってもよい。
【００２６】
続いて、編集ソフトにおいて文字や図形の入力を行ったり、ハードディスク３に記憶されている画像やイラストを読み込む。このように入力されたり読み込まれたりした文字、図形、画像、イラスト等の部品（オブジェクト）はメモリ２上に一時記憶され、作業者はそれらの部品を適宜配置していく（ステップＳ５５）。
【００２７】
かかるレイアウト編集中において、例えば、部品がロゴ等のようにその色の割合を変更することができないものである場合には、その部品をレイアウト編集画面上でマウス５により指定する（ステップＳ５６）。マウス５により部品を選択（右クリック）すると、ＣＲＴ４には図６のような部品のカラー処理モード設定ウインドウ２０が表示される（ステップＳ５７）。そのカラー処理モード設定ウインドウ２０において、「カラーマッチング処理を無効にする」に印をつけると、ステップＳ５８からステップＳ５９に進んで、ＣＰＵ１は指定された部品にカラーマッチング処理無効の属性を付与してメモリ２上に一時記憶させる。それと共に、識別標識の表示設定が表示ＯＮとされているか否かを判別して表示ＯＮとされている場合には、画面に表示されているその指定された部品上若しくはその近傍に、例えば「×」等の識別標識を表示させる（ステップＳ６０，Ｓ６１）。続いて他の部品を指定した場合にはその部品についても同様に識別標識が表示される。逆に、識別標識の表示設定が表示ＯＦＦとされている場合には、属性を付与しても識別標識は表示されない。尚、図６では、「カラーマッチング処理を無効にする」に印をつけた状態が示されている。また、図５には、部品１１，１５に識別標識３０である「×」が表示された状態が示されている。尚、部品毎に表示ＯＮ−ＯＦＦが選択可能であってもよい。
【００２８】
尚、図６に示したカラー処理モード設定ウインドウ２０において印をつけなかった場合には、カラーマッチング処理無効の属性は付与されず、そのウインドウ２０を閉じることによりレイアウト編集を再開できる。
【００２９】
このようにして全ての部品についてのレイアウト編集とカラーマッチング処理を行わない部品の指定とが完了すると（ステップＳ６２）、編集ソフトはマウス５やキーボード６から編集終了の入力を受けてレイアウト編集処理を終了し、次のＲＩＰ出力処理に移行する。
【００３０】
版作成用データの作成では、ＣＰＵ１は、版作成用データを初期化した後（ステップＳ７１）、レイアウト編集された部品のカラー処理モードをチェックする（ステップＳ７２）。即ち、メモリ２に一時記憶されている部品に属性が付与されているか否かを判別し、属性が付与されている場合には、ステップＳ７３からステップＳ７４へ進んで、その部品のカラーマッチング無効化処理を行う。即ち、属性の有無によってカラーマッチング無効化処理の要否を判別し、カラーマッチング無効化処理が必要な場合には、ＲＩＰにおいてカラーマッチング処理がなされないように所定のコード（カラーマッチング処理無効コード）をその部品のデータに付加する。
【００３１】
例えば、ハーレークイーン社製のＲＩＰを使用する場合であって、部品がＰＨＯＴＯＳＨＯＰ（登録商標）により作成された画像である場合、そのデータ（ＥＰＳ形式）に所定のコードを付加してカラーマッチング無効化処理を行うと、その部品のデータは図７のような内容となる。図７において、領域Ａと領域Ｃは所定のコードを付加する前から既に存在していたものであり、領域Ｂと領域Ｄとが付加されたコードである。即ち、カラーマッチング無効化処理を行うことで、部品のデータ内容は、「Ａ＋Ｃ」から「Ａ＋Ｂ＋Ｃ＋Ｄ」へと書き換えられる。
【００３２】
カラーマッチング無効化処理が終了すると、その部品のデータをポストスクリプト形式に変換する（ステップＳ７５）。レイアウト編集された部品のデータには、文字や画像等の本来の情報の他に、配置、倍率、回転等の情報や、カラーマッチング処理無効の属性が付加されているため、それらの付加された情報を含めて一つのまとまりとして部品毎にポストスクリプト形式のデータに変換される。尚、元の部品のデータがＥＰＳ形式である場合には、配置等の付加された情報のみについて変換され、ＥＰＳ形式データを埋め込む。尚、ポストスクリプト以外のページ記述言語の形式に変換されるものであってもよい。
続いて、ステップＳ７１で初期化した版作成用データ（版作成用データ領域）にポストスクリプト形式に変換された部品のデータを書き込む（ステップＳ７６）。
【００３３】
このようにしてポストスクリプト形式に変換された各部品のデータを順次版作成用データに書き込んでいき、その書き込みが全て終了すると（ステップＳ７７）、完成した版作成用データをＲＩＰに転送する（ステップＳ７８）。尚、版作成用データをフレキシブルディスク等を介してＲＩＰに入力しても無論よい。
以上でＲＩＰ出力処理は終了し、編集ソフトを使用した版作成用データの作成作業が終了する。
【００３４】
版作成用データが入力されるＲＩＰは、ＩＣＣプロファイルに基づいてカラーマッチング処理する機能を有している。該カラーマッチング処理機能はＯＮ、ＯＦＦが選択可能であり、カラーマッチング処理機能をＯＦＦに設定すると、入力された版作成用データはカラーマッチング処理されずにＲＩＰ処理のみがなされて出力され、カラーマッチング処理機能をＯＮに設定すると版作成用データはカラーマッチング処理されると共にＲＩＰ処理されて出力される。尚、ＲＩＰは、プロファイルを記憶しておく記憶部を有し、必要に応じてその記憶部からプロファイルを読み出してカラーマッチング処理を行う。
【００３５】
具体的には、カラーマッチング処理機能がＯＮに設定され、実際に印刷を実行する印刷機のＩＣＣプロファイルと、例えば印刷発注者が保有するカラープリンタのＩＣＣプロファイルとに基づいて、入力した版作成用データのカラーマッチング処理が行われる。
【００３６】
ところで、上述したように、版作成用データはポストスクリプト形式に変換された部品のデータを複数有しているが、該複数の部品のデータのいくつかは、カラーマッチング無効化処理がなされたものである。従って、ＲＩＰのカラーマッチング処理機能がＯＮに設定されていても、版作成用データ中、全ての部品のデータが一律にカラーマッチング処理されることはない。即ち、ＲＩＰは、版作成用データに含まれている部品のデータがカラーマッチング無効化処理されているか否かを判別する。具体的には、上述した所定のコードが含まれているか否かでその判別を行い、カラーマッチング無効化処理がなされている部品のデータについてはカラーマッチング処理を行わず、カラーマッチング無効化処理がなされていない部品のデータについては通常通りカラーマッチング処理を行うのである。
【００３７】
従って、ロゴ等のように色の割合が指定されていて変更することができないものが部品に含まれていても、それ以外の部分についてのみカラーマッチング処理を行って、版作成装置によってカラーマッチング処理済みの印刷版を作成し、印刷機にて印刷を実行することができる。そのため、印刷発注者保有のカラープリンタの出力物等と同じ色合いの印刷物を得ることができる。
【００３８】
尚、以上においては、編集ソフトで版作成用データを作成する際に複数の部品のデータのうちのいくつかをカラーマッチング無効化処理する場合について説明したが、版作成用データの作成に際してはカラーマッチング無効化処理を行わずに、版作成用データの作成後において別途カラーマッチング無効化処理を行うこともできる。以下、その場合について具体的に説明する。
【００３９】
即ち、ポストスクリプト形式に変換された部品のデータを複数有する版作成用データを加工するデータ加工装置を備える。該データ加工装置は、上記版作成用データ作成装置と同様にコンピュータとして構成され、前記ハードディスク３には、コンピュータを版作成用データ加工装置として機能させるためのコンピュータ読み取り可能なプログラムも記憶されている。即ち、コンピュータを版作成用データ加工装置として機能させるためのデータ加工ソフトも記憶されている。
【００４０】
尚、かかる版作成用データ加工装置は、無効化処理対象として設定された部品のデータが版作成用データに存在するか否かを判別し、存在する場合には、その部品のデータについて、ＲＩＰにおいてカラーマッチング処理がなされないようにするためのカラーマッチング無効化処理を行うように構成されているものである。そのため、無効化処理対象となる部品のデータを設定するための入力手段と、該入力手段により入力された部品情報を記憶する記憶手段と、該記憶手段に記憶された部品情報に基づいて無効化処理対象の部品のデータが版作成用データに含まれているか否かを判別する判別手段と、該判別手段により前記部品のデータが含まれていると判別された場合にその部品のデータについてＲＩＰにおいてカラーマッチング処理がなされないようにするためのカラーマッチング無効化処理を行う無効化処理実行手段とを備えている。上述したように本実施形態においては版作成用データ加工装置がデータ加工ソフトを有するコンピュータとして構成されているため、前記入力手段はキーボード６、マウス５などで構成され、該入力手段により部品のデータそのものが情報として入力されたり、部品のデータに対応したファイル名等の各種の情報が入力されたりする。また、前記記憶手段はメモリ２やハードディスク３などで構成され、前記判別手段及び無効化処理手段はＣＰＵ１により構成される。
【００４１】
上述したように、このデータ加工ソフトは、編集ソフトによりレイアウト編集されてポストスクリプトに代表されるページ記述言語にて記述された版作成用データの一部を、ＲＩＰに入力する前の段階において、カラーマッチング無効化処理を行うものである。従って、該データ加工ソフトを使用する場合には、原則として、編集ソフトによる編集工程（ステップＳ５）は従来どおりであってそこではカラー処理モード設定（ステップＳ５７）等は行われず、また編集ソフトによってカラーマッチング無効化処理（ステップＳ７４）等も行われない。編集ソフトでカラーマッチング無効化処理を行うと共にデータ加工ソフトでもカラーマッチング無効化処理を行うということもできるが、以下の説明では編集ソフトではカラーマッチング無効化処理が行われない場合について説明する。
【００４２】
データ加工ソフトを使用する場合、ＲＩＰ出力工程（ステップＳ７）が上述したものとは異なる。即ち、版作成用データを初期化し（ステップＳ７１）、部品のデータをポストスクリプト形式に変換し（ステップＳ７５）、該変換した部品のデータを版作成用データに書き込んだ後（ステップＳ７６）、その完成した版作成用データが前記データ加工ソフトに入力される。
【００４３】
該データ加工ソフトは、カラーマッチング無効化処理の対象となる部品のデータがカラーマッチング無効化処理に先立ち予め設定され、編集ソフトから入力された版作成用データ中にその設定された部品のデータが存在するか否かを判別し、存在する場合にはその部品のデータをカラーマッチング無効化処理するものである。
【００４４】
詳細には、データ加工ソフトは、ハードディスク３の各フォルダの中から、入力フォルダ、出力フォルダ、カラーマッチング無効対象フォルダを任意に設定することができるように構成されている。入力フォルダは編集ソフトによって作成された版作成用データが入力されるフォルダである。カラーマッチング無効対象フォルダには、カラーマッチング処理を無効にしたい部品のデータが予めオペレータにより書き込まれる。カラーマッチング無効対象フォルダに書き込まれる部品のデータは、編集ソフトでレイアウト編集したものと同じものである。そして、編集ソフトから入力フォルダに入力された版作成用データを読み込み、該版作成用データの中に、カラーマッチング無効対象フォルダ中に存在する部品のデータと同じものがあるかどうかを検索し、その部品のデータがあればそれについてカラーマッチング無効化処理を実行する。カラーマッチング無効対象フォルダに部品のデータが複数ある場合にはこの無効化処理はその部品のデータ毎に実行される。全ての無効化処理が終了すると、カラーマッチング無効化処理済みの版作成用データを出力フォルダに出力する。このようにしてデータ加工ソフトにより一部カラーマッチング無効化処理がなされた版作成用データは、その後出力フォルダからＲＩＰに転送されるがこの点については上述した場合と同様である。
【００４５】
入力フォルダに入力される版作成用データの一例を図８に示している。版作成用データはポストスクリプトにより記述され、各部品のデータはそれぞれＥＰＳ形式とされていて版作成用データ中にシリアルに並べられている。例えば、図８の版作成用データには、ＥＰＳ形式の部品のデータとして、ファイル名が「ｔｅｓｔ．ＥＰＳ」であるもの（符号３０）と、ファイル名が「ｔｅｓｔ１．ｅｐｓ」であるもの（符号３１）とが存在し、他にもＥＰＳ形式の部品データを多数包含している。図８に示す一例では、「％％ＢｅｇｉｎＤｏｃｕｍｅｎｔ：」と「％％ＥｎｄＤｏｃｕｍｅｎｔ：」との間の部分が一つの部品のデータである。
【００４６】
オペレータは、図８の版作成用データにおいて使用した部品のデータの中から、カラーマッチング無効化処理を行いたい部品のデータを予めカラーマッチング無効対象フォルダに書き込んでおく。尚、各部品のデータは、編集ソフトによってレイアウト編集が行われても、別途元データは残されているので、その元データを利用してカラーマッチング無効対象フォルダに書き込まれる。例えば、ファイル名「ｔｅｓｔ．ＥＰＳ」とファイル名「ｔｅｓｔ１．ｅｐｓ」の合計二つの部品のデータがカラーマッチング無効対象フォルダに書き込まれている場合、データ加工ソフトは、入力フォルダ中の図８に示すような版作成用データの中から、その二つの部品のデータを検索してカラーマッチング無効化処理を実行する。詳細には、カラーマッチング無効対象フォルダを検索して、そのファイル名から、ＥＰＳ形式である上記二つの部品のデータ、即ち、ファイル名が「ｔｅｓｔ．ＥＰＳ」である部品のデータとファイル名が「ｔｅｓｔ１．ｅｐｓ」である部品のデータを、カラーマッチング無効化処理の対象として予め設定されているものであるとして認識する。そして、版作成用データの中からファイル名が「ｔｅｓｔ．ＥＰＳ」及び「ｔｅｓｔ１．ｅｐｓ」である二つの部品のデータをそのファイル名を基にして探し出し、探し出した二つの部品のデータについて無効化処理を実行する。
【００４７】
より具体的に説明すると、図８の場合には、「％％ＢｅｇｉｎＤｏｃｕｍｅｎｔ：」と「％％ＥｎｄＤｏｃｕｍｅｎｔ：」とを探して両者の間で「％！ＰＳ−Ａｄｏｂｅ−」を探し、同じ行に「ＥＰＳ」を探して、それが見つかればＥＰＳ形式の部品のデータであると判断し、次に、「％％Ｔｉｔｌｅ：」の行に記述されているファイル名と、カラーマッチング無効対象フォルダに存在するもののファイル名とを対比して両者が一致すればその部品のデータについての無効化処理を実行する。
【００４８】
尚、無効化処理は、図７において説明したのと同様であって所定のコードを部品のデータに付加するものであり、図８の版作成用データは、上記二つの部品のデータについてそれぞれカラーマッチング無効化処理が実行されて図９に示すような版作成用データへと変換されて、出力フォルダに出力される。
【００４９】
このようにしてデータ加工ソフトを利用してカラーマッチング無効化処理を行った場合であっても、上述した編集ソフトによってカラーマッチング無効化処理を行った場合と同様に、ＲＩＰにおいて全ての部品のデータが一律にカラーマッチング処理されることはなく、従って、ロゴ等のように色の割合が指定されていて変更することができないものが部品に含まれていても、それ以外の部分についてのみカラーマッチング処理を行うことができる。
【００５０】
また、ロゴ等の部品のデータを予め所定のフォルダ（カラーマッチング無効対象フォルダ）に書き込んでおくことのみで、データ加工ソフトにより自動的にその部品のデータの有無を判別して存在していればその部品のデータについてのみ無効化処理を実行するため、オペレータの作業負担が軽減される。
【００５１】
尚、上記実施形態では、カラーマッチング無効対象フォルダに書き込まれている部品のデータの全てを無効化処理対象と認識して無効化処理を実行する場合であった。即ち、カラーマッチング無効対象フォルダに書き込まれている部品のデータ全てが、カラーマッチング処理を行わない無効化処理対象としてオペレータにより設定された部品のデータである、と認識する構成であった。しかしながら、その構成に代えて、カラーマッチング無効対象フォルダを検索して、そのファイル名からＥＰＳ形式である部品のデータを全て抽出した後において、その中からオペレータにより別途選択されたもののみを無効化処理対象とし、その部品のデータが版作成用データ中に存在するか否かを判別する構成であってもよい。
【００５２】
その別途の選択に際しては、例えば、カラーマッチング無効対象フォルダに書き込まれている部品のデータの全てを一覧表にしてＣＲＴ４に表示することが好ましい。この表示された部品のデータの中からオペレータがキーボード６やマウス５により無効化処理対象を決定する。
【００５３】
尚、無効化処理対象として設定された部品のデータの有無を自動判別する構成ではないが、入力フォルダに入力された版作成用データを読み込む都度、その版作成用データ中の全ての部品のデータを一覧表にしてＣＲＴ４に表示し、その中から無効化処理を行いたい部品のデータをオペレータが任意に選択して設定する方法も考えられる。
【００５４】
また、上記実施形態ではカラーマッチング無効対象フォルダに無効化処理対象の部品のデータを書き込む構成としたが、例えば、その部品のデータのファイル名のみを入力して所定の箇所に登録しておく構成であってもよい。
【００５５】
また更に、部品のデータのファイル名を一つ一つ登録しておく方法以外にも、例えば、所定の文字列を予め設定しておき、ファイル名に所定の文字列が含まれている部品のデータを無効化処理対象とすることもできる。即ち、版作成用データ中の部品のデータのファイル名にその文字列が含まれているか否かを判別し、ファイル名に文字列を含むものが存在する場合には、そのファイル名の部品のデータを無効化処理を実行する。例えば、文字列として「ＮＯＮＣＭＳ」が登録されている場合、図１０に示すように文字列「ＮＯＮＣＭＳ」をそのファイル名に包含する部品のデータは、全て無効化処理される。この場合、上述したように無効処理対象の部品のデータのファイル名を個々に設定する必要がなくなるため、オペレータの設定作業の負担が軽減される。
【００５６】
【発明の効果】
以上のように、印刷物を構成する部品にロゴやカラーバーのような色の割合を変更することのできない部品が含まれている場合であっても、カラープリンタの出力物等を目標として印刷機の印刷物を容易にカラーマッチングすることができる。しかも、版作成用データ作成装置によれば、レイアウト編集画面上でカラーマッチング処理しない部品を指定及び解除できるため作業性に優れ、カラーマッチング無効化処理を行ったものと行っていないものとを区別する等のデータ管理も不要となり、全体として作業負担を大きく軽減することができる。
【００５７】
また、版作成用データ加工装置によれば、レイアウト編集後において、ページ記述言語で記述された版作成用データのカラーマッチング無効化処理を行うことができ、無効化処理対象として部品のデータを設定する作業のみで、その部品のデータの無効化処理が自動的に行われる。そして、レイアウト編集後にデータのカラーマッチング処理を行うので、レイアウト編集においては従来からの方法を変更する必要がない。
【図面の簡単な説明】
【図１】本発明の第一の実施形態における版作成用データ作成装置のハードウエア構成図。
【図２】印刷版の作成手順を示すフローチャート。
【図３】印刷版の作成手順のうち編集工程の手順を示すフローチャート。
【図４】印刷版の作成手順のうちＲＩＰ出力工程の手順を示すフローチャート。
【図５】レイアウト編集画面の一例を示す概略図。
【図６】レイアウト編集画面に表示されるカラー処理モード設定ウインドウを示す図。
【図７】カラーマッチング無効化処理がなされたデータの一例を示す図。
【図８】無効化処理前の版作成用データの一例を示す図。
【図９】無効化処理後の版作成用データの一例を示す図。
【図１０】無効化処理前の版作成用データの要部を示す図。
【符号の説明】
１…ＣＰＵ、２…メモリ、３…ハードディスク、４…ＣＲＴ、５…マウス、６…キーボード、１１，１２，１３，１４，１５…部品
【図１】
2004206655.tif 000003
【図２】
2004206655.tif 000004
【図３】
2004206655.tif 000005
【図４】
2004206655.tif 000006
【図５】
2004206655.tif 000007
【図６】
2004206655.tif 000008
【図７】
2004206655.tif 000009
【図８】
2004206655.tif 000010
【図９】
2004206655.tif 000011
【図１０】
2004206655.tif 000012